(57)【特許請求の範囲】
【請求項１】
ロングタームエボリューション時分割複信LTE-TDDネットワークとマイクロ波アクセスのための世界的な相互運用性WiMAXネットワークとを同期するための方法であって、
同じクロックソースを用いて、前記LTE-TDDネットワークと前記WiMAXネットワークを同期させるステップと、
前記WiMAXネットワークのフレームフォーマットを判定するステップと、
前記WiMAXネットワークの前記フレームフォーマットに従って、前記LTE-TDDネットワークのハーフフレームフォーマットと、前記LTE-TDDネットワークと前記WiMAXネットワークとが同期するように、前記LTE-TDDネットワークの前記ハーフフレームフォーマットのフレームヘッダと前記WiMAXネットワークの前記フレームフォーマットのフレームヘッダとの間の遅延時間とを判定するステップと
を含む方法。
【請求項２】
前記WiMAXネットワークの前記フレームフォーマットに従って、前記LTE-TDDネットワークのハーフフレームフォーマットと、前記LTE-TDDネットワークの前記ハーフフレームフォーマットのフレームヘッダと前記WiMAXネットワークの前記フレームフォーマットのフレームヘッダとの間の遅延時間とを判定する前記ステップが、
前記WiMAXネットワークの前記フレームフォーマットのダウンリンクサブフレーム内およびアップリンクサブフレーム内のシンボル量の構成比率が35:12である場合、前記LTE-TDDネットワークの前記ハーフフレームフォーマットのダウンリンクサブフレーム内およびアップリンクサブフレーム内のサブフレーム量の構成比率が3:1であり、前記LTE-TDDネットワークの前記ハーフフレームフォーマットの前記フレームヘッダが前記WiMAXネットワークの前記フレームフォーマットの前記フレームヘッダと比較して2msの遅延を有し、前記LTE-TDDネットワークの前記ハーフフレームフォーマット内の特別サブフレームのダウンリンクパイロットタイムスロットDWPTSが9個のシンボル以下の長さを有すると決定するステップ
を含む、請求項1に記載の方法。
【請求項３】
前記WiMAXネットワークの前記フレームフォーマットに従って、前記LTE-TDDネットワークのハーフフレームフォーマットと前記LTE-TDDネットワークの前記ハーフフレームフォーマットのフレームヘッダと、前記WiMAXネットワークの前記フレームフォーマットのフレームヘッダとの間の遅延時間とを判定する前記ステップが、
前記WiMAXネットワークの前記フレームフォーマットのダウンリンクサブフレーム内およびアップリンクサブフレーム内のシンボル量の構成比率が32:15である場合、前記LTE-TDDネットワークの前記ハーフフレームフォーマットのダウンリンクサブフレーム内およびアップリンクサブフレーム内のサブフレーム量の構成比率が3:1であり、前記LTE-TDDネットワークの前記ハーフフレームフォーマットの前記フレームヘッダが前記WiMAXネットワークの前記フレームフォーマットの前記フレームヘッダと比較して2msの遅延を有し、前記LTE-TDDネットワークの前記ハーフフレームフォーマット内の特別サブフレームのDWPTSが5個のシンボル以下の長さを有すると決定するステップ
を含む、請求項1に記載の方法。
【請求項４】
前記WiMAXネットワークの前記フレームフォーマットに従って、前記LTE-TDDネットワークのハーフフレームフォーマットと前記LTE-TDDネットワークの前記ハーフフレームフォーマットのフレームヘッダと前記WiMAXネットワークの前記フレームフォーマットのフレームヘッダとの間の遅延時間とを判定する前記ステップが、
前記WiMAXネットワークの前記フレームフォーマットのダウンリンクサブフレーム内およびアップリンクサブフレーム内のシンボル量の構成比率が29:18である場合、前記LTE-TDDネットワークの前記ハーフフレームフォーマットのダウンリンクサブフレーム内およびアップリンクサブフレーム内のサブフレーム量の構成比率が2:2であり、前記LTE-TDDネットワークの前記フレームフォーマットの前記フレームヘッダが前記WiMAXネットワークのハーフフレームフォーマットの前記フレームヘッダと比較して1msの遅延を有すると決定して、前記WiMAXネットワーク内のダウンリンクサブフレームの無線周波数チャネル終端位置を前記ダウンリンクサブフレームの第27番目のシンボルに設定するステップ
を含む、請求項1に記載の方法。
【請求項５】
前記WiMAXネットワークの前記フレームフォーマットに従って、前記LTE-TDDネットワークのハーフフレームフォーマットと、前記LTE-TDDネットワークの前記ハーフフレームフォーマットのフレームヘッダと前記WiMAXネットワークの前記フレームフォーマットのフレームヘッダとの間の遅延時間とを判定する前記ステップが、
前記WiMAXネットワークの前記フレームフォーマットのダウンリンクサブフレーム内およびアップリンクサブフレーム内のシンボル量の構成比率が29:18である場合、前記LTE-TDDネットワークの前記ハーフフレームフォーマットのダウンリンクサブフレーム内およびアップリンクサブフレーム内のサブフレーム量の構成比率が2:2であり、前記LTE-TDDネットワークの前記ハーフフレームフォーマットの前記フレームヘッダが前記WiMAXネットワークの前記ハーフフレームフォーマットの前記フレームヘッダと比較して1003.16μsから1020.31μsの遅延を有すると決定して、前記LTE-TDDネットワークの前記ハーフフレームフォーマット内の特別サブフレームのアップリンクパイロットタイムスロットの前記シンボル量を0に設定するステップ
を含む、請求項1に記載の方法。
【請求項６】
同じクロックソースを用いて、LTE-TDDネットワークとWiMAXネットワークとを同期させるように構成された第1の同期ユニットと、
前記WiMAXネットワークのフレームフォーマットを判定するように構成された判定ユニットと、
前記WiMAXネットワークの前記フレームフォーマットに従って、前記LTE-TDDネットワークのハーフフレームフォーマットと、前記LTE-TDDネットワークのハーフフレームと前記WiMAXネットワークのフレームとが同期するように、前記LTE-TDDネットワークの前記ハーフフレームフォーマットのフレームヘッダと前記WiMAXネットワークの前記フレームフォーマットのフレームヘッダとの間の遅延時間とを判定するように構成された第2の同期ユニットと
を含む基地局。
【請求項７】
前記第2の同期ユニットが、
前記WiMAXネットワークの前記フレームフォーマットのダウンリンクサブフレーム内およびアップリンクサブフレーム内のシンボル量の構成比率が35:12である場合、前記LTE-TDDネットワークの前記ハーフフレームフォーマットのダウンリンクサブフレーム内およびアップリンクサブフレーム内のサブフレーム量の構成比率が3:1であり、前記LTE-TDDネットワークの前記ハーフフレームフォーマットのフレームヘッダが前記WiMAXネットワークの前記フレームフォーマットの前記フレームヘッダと比較して2msの遅延を有すると決定するように構成され、前記LTE-TDDネットワークの前記ハーフフレームフォーマット内の特別サブフレームのダウンリンクパイロットタイムスロットDWPTSの長さを9個のシンボル以下になるように設定するようにさらに構成された第1の処理ユニットと、
前記WiMAXネットワークの前記フレームフォーマットの前記ダウンリンクサブフレーム内および前記アップリンクサブフレーム内のシンボル量の構成比率が32:15である場合、前記LTE-TDDネットワークの前記ハーフフレームフォーマットの前記ダウンリンクサブフレーム内および前記アップリンクサブフレーム内のサブフレーム量の構成比率が3:1であり、前記LTE-TDDネットワークの前記ハーフフレームフォーマットの前記フレームヘッダが前記WiMAXネットワークの前記フレームフォーマットの前記フレームヘッダと比較して2msの遅延を有すると決定するように構成され、前記LTE-TDDネットワークの前記ハーフフレームフォーマットの特別サブフレームのDWPTSの長さを5個のシンボル以下に設定するようにさらに構成された第2の処理ユニットと、
前記WiMAXネットワークの前記フレームフォーマットの前記ダウンリンクサブフレーム内および前記アップリンクサブフレーム内のシンボル量の構成比率が29:18である場合、前記LTE-TDDネットワークの前記ハーフフレームフォーマットの前記ダウンリンクサブフレーム内および前記アップリンクサブフレーム内のサブフレーム量の構成比率が2:2であり、前記LTE-TDDネットワークの前記フレームフォーマットのフレームヘッダが前記WiMAXネットワークの前記ハーフフレームフォーマットの前記フレームヘッダと比較して1msの遅延を有すると決定して、前記WiMAXネットワーク内のダウンリンクサブフレームの無線周波数チャネル終端位置を前記ダウンリンクサブフレームの第27番目のシンボルに設定するように構成された第3の処理ユニットと、
前記WiMAXネットワークの前記フレームフォーマットの前記ダウンリンクサブフレーム内および前記アップリンクサブフレーム内のシンボル量の構成比率が29:18である場合、前記LTE-TDDネットワークの前記ハーフフレームフォーマットの前記ダウンリンクサブフレーム内および前記アップリンクサブフレーム内のサブフレーム量の構成比率が2:2であり、前記LTE-TDDネットワークの前記ハーフフレームフォーマットの前記フレームヘッダが前記WiMAXネットワークの前記ハーフフレームフォーマットの前記フレームヘッダと比較して1003.16μsから1020.31μsの遅延を有すると決定して、前記LTE-TDDネットワークの前記ハーフフレームフォーマット内の特別サブフレームのアップリンクパイロットタイムスロットの前記シンボル量を0に設定するように構成された第4の処理ユニットと
を含む、請求項6に記載の基地局。
【請求項８】
請求項6または7に記載の前記基地局を含む通信システム。
【発明の詳細な説明】
【技術分野】
【０００１】
本出願は、参照によりその全体が本明細書に組み込まれている、2012年1月18日に中国特許庁に出願した、「METHOD、BASE STATION、AND SYSTEM FOR SYNCHRONIZING LTE-TDD NETWORK AND WIMAX NETWORK」という表題の中国特許出願第201210016140.9号の優先権を主張するものである。
【０００２】
本発明は、ワイヤレス通信システムに関し、より詳細には、LTE-TDDネットワークとWiMAXネットワークとを同期させるための方法、基地局、およびシステムに関する。
【背景技術】
【０００３】
通信技術の発展に伴って、モバイルTDD帯域幅技術など、マイクロ波アクセスのための世界的な相互運用性(WiMAX、Worldwide Interoperability for Microwave Access)が広く展開されて、世界中で適用されている。その一方で、ロングタームエボリューション(LTE、Long Term Evolution)システムは、時分割複信(TDD、Time Division Duplexing)技術をサポートし、LTE-TDD技術の十分な成長に伴って、LTE-TDDネットワークは徐々に展開および適用されることになる。
【０００４】
しかし、WiMAXネットワークとLTE-TDDネットワークは共にTDD時分割複信システムを採用するため、WiMAXネットワークとLTE-MAXネットワークとが同時に1つの領域内で展開されるとき、2つのネットワークの共存性能を考慮しなければならない。特に、2つのネットワークが同じTDD周波数を使用し、同期が適切に実行されないとき、2つのネットワークの間に相互干渉が生じ、ネットワーク性能の劣化をもたらす。
【発明の概要】
【発明が解決しようとする課題】
【０００５】
本発明の実施形態は、基地局上でLTE-TDDネットワークとWiMAXネットワークとの同期を達成して、それによって、これらのネットワーク間の相互干渉を回避し、システム性能を改善するために、LTD-TDDネットワークとWiMAXネットワークとを同期させるための方法および基地局を提供する。
【課題を解決するための手段】
【０００６】
本発明のある実施形態では、LTE-TDDネットワークとWiMAXネットワークとを同期させるための方法は、
同じクロックソースを用いて、LTE-TDDネットワークとWiMAXネットワークとを同期させるステップと、
WiMAXネットワークのフレームフォーマットを判定するステップと、
WiMAXネットワークのフレームフォーマットに従って、LTE-TDDネットワークのハーフフレームフォーマットと、LTE-TDDネットワークとWiMAXネットワークとが同期するように、LTE-TDDネットワークのハーフフレームフォーマットのフレームヘッダとWiMAXネットワークのフレームフォーマットのフレームヘッダのフレームヘッダとの間の遅延時間とを判定するステップと
を含む。
【０００７】
好ましくは、WiMAXネットワークのフレームフォーマットに従って、LTE-TDDネットワークのハーフフレームフォーマットを判定して、LTE-TDDネットワークのハーフフレームフォーマットのフレームヘッダとWiMAXネットワークのフレームフォーマットのフレームヘッダとの間の遅延時間を判定するステップは、詳細には、
WiMAXネットワークのフレームフォーマットのダウンリンクサブフレーム内およびアップリンクサブフレーム内のシンボル量の構成比率が35:12である場合、LTE-TDDネットワークのハーフフレームフォーマットのダウンリンクサブフレーム内およびアップリンクサブフレーム内のサブフレーム量の構成比が3:1であり、LTE-TDDネットワークのハーフフレームフォーマットのフレームヘッダがWiMAXネットワークのフレームフォーマットのフレームヘッダと比較して2msの遅延を有し、LTE-TDDネットワークのハーフフレームフォーマット内の特別サブフレームのダウンリンクパイロットタイムスロットDWPTSが9個のシンボル以下の長さを有すると決定するステップと、
WiMAXネットワークのフレームフォーマットのダウンリンクサブフレーム内およびアップリンクサブフレーム内のシンボル量の構成比率が32:15である場合、LTE-TDDネットワークのハーフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有し、LTE-TDDネットワークのハーフフレームフォーマット内の特別サブフレームのDWPTSが5個のシンボル以下の長さを有すると決定するステップと、
WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのフレームフォーマットのフレームヘッダがWiMAXネットワークのハーフフレームフォーマットのフレームヘッダと比較して1msの遅延を有すると決定して、WiMAXネットワーク内のダウンリンクサブフレームの無線周波数チャネル終端位置(radio frequency channel ending point)をダウンリンクサブフレームの第27番目のシンボルに設定するステップと、
WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのハーフフレームフォーマットのフレームヘッダがWiMAXネットワークのハーフフレームフォーマットのフレームヘッダと比較して1003.16μsから1020.31μsの遅延を有すると決定して、LTE-TDDネットワークのハーフフレームフォーマット内の特別サブフレームのアップリンクパイロットタイムスロットのシンボル量を0に設定するステップと
を含む。
【０００８】
本発明のある実施形態では、基地局は、
同じクロックソースを用いて、LTE-TDDネットワークとWiMAXネットワークとを同期させるように構成された第1の同期ユニットと、
WiMAXネットワークのフレームフォーマットを判定するように構成された判定ユニットと、
WiMAXネットワークのフレームフォーマットに従って、LTE-TDDネットワークのハーフフレームフォーマットを判定して、LTE-TDDネットワークのハーフフレームとWiMAXネットワークのフレームとが同期するように、LTE-TDDネットワークのハーフフレームフォーマットのフレームヘッダとWiMAXネットワークのフレームフォーマットのフレームヘッダとの間の遅延時間を判定するように構成された第2の同期ユニットと
を含む。
【０００９】
好ましくは、第2の同期ユニットは、
WiMAXネットワークのフレームフォーマットのダウンリンクサブフレーム内およびアップリンクサブフレーム内のシンボル量の構成比率が35:12である場合、LTE-TDDネットワークのハーフフレークフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定するように構成され、LTE-TDDネットワークのハーフフレームフォーマット内の特別サブフレームのダウンリンクパイロットタイムスロットDWPTSの長さを9個のシンボル以下に設定するようにさらに構成された第1の処理ユニットと、
WiMAXネットワークのフレームフォーマットのダウンリンクサブフレーム内およびアップリンクサブフレーム内のシンボル量の構成比率が32:15である場合、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定するように構成され、LTE-TDDネットワークのハーフフレームフォーマット内の特別サブフレームのDWPTSの長さを5個のシンボル以下に設定するようにさらに構成された第2の処理ユニットと、
WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのフレームフォーマットのフレームヘッダがWiMAXネットワークのハーフフレームフォーマットのフレームヘッダと比較して1msの遅延を有すると決定して、WiMAXネットワーク内のダウンリンクサブフレームの無線周波数チャネル終端位置をダウンリンクサブフレームの第27番目のシンボルに設定するように構成された第3の処理ユニットと、
WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのハーフフレームフォーマットのフレームヘッダがWiMAXネットワークのハーフフレームフォーマットのフレームヘッダと比較して1003.16μsから1020.31μsの遅延を有すると決定して、LTE-TDDネットワークのハーフフレームフォーマット内の特別サブフレームのアップリンクパイロットタイムスロットのシンボル量を0に設定するように構成された第4の処理ユニットと
を含む。
【００１０】
本発明のある実施形態では、通信システムは基地局を含む。
【００１１】
先行技術解決策から理解できるように、本発明の実施形態は以下の利点を有する。
【００１２】
同じクロックソースを用いて基地局上でLTE-TDDネットワークとWiMAXネットワークとが同期した後で、WiMAXネットワークのフレームフォーマットが判定され、WiMAXネットワークのフレームフォーマットに従って、LTE-TDDネットワークのハーフフレームフォーマットが判定され、LTE-TDDネットワークとWiMAXネットワークとが同期して、それによって、システム性能を効果的に改善するように、LTE-TDDネットワークのハーフフレームフォーマットのフレームヘッダとWiMAXネットワークのフレームフォーマットのフレームヘッダとの間の遅延時間が判定される。
【図面の簡単な説明】
【００１３】
【図１】本発明のある実施形態によるWiMAXネットワークのフレームフォーマットを例示する図である。
【図２】本発明のある実施形態によるLTE-TDDネットワークのフレームフォーマットを例示する図である。
【図３】本発明のある実施形態による、LTE-TDDネットワークとWiMAXネットワークとを同期させるための方法の概略図である。
【図４】本発明のある実施形態による、LTE-TDDネットワークとWiMAXネットワークとを同期させるための方法の別の概略図である。
【図５−ａ】本発明のある実施形態による、WiMAXネットワークのフレームフォーマットの図およびLTE-TDDネットワークのハーフフレームフォーマットの図である。
【図５−ｂ】本発明のある実施形態による、WiMAXネットワークとLTE-TDDネットワークとが同期するときのフレームフォーマットの図である。
【図６】本発明のある実施形態による、LTE-TDDネットワークとWiMAXネットワークとを同期させるための方法の別の概略図である。
【図７−ａ】本発明のある実施形態による、WiMAXネットワークのフレームフォーマットの図、およびLTE-TDDネットワークのハーフフレームフォーマットの図である。
【図７−ｂ】本発明のある実施形態による、WiMAXネットワークとLTE-TDDネットワークとが同期するときのフレームフォーマットの図である。
【図８】本発明のある実施形態による、LTE-TDDネットワークとWiMAXネットワークとを同期させるための方法の別の概略図である。
【図９−ａ】本発明のある実施形態による、WiMAXネットワークのフレームフォーマットの図およびLTE-TDDネットワークのハーフフレームフォーマットの図である。
【図９−ｂ】本発明のある実施形態による、WiMAXネットワークとLTE-TDDネットワークとが同期するときのフレームフォーマットの図である。
【図９−ｃ】本発明のある実施形態による、WiMAXネットワークとLTE-TDDネットワークとが同期するときのフレームフォーマットの別の図である。
【図１０】本発明のある実施形態による基地局の概略図である。
【図１１】本発明のある実施形態による基地局の別の概略図である。
【発明を実施するための形態】
【００１４】
本発明の実施形態は、LTE-TDDネットワークとWiMAXネットワークとの間の同期を達成して、システム性能を改善するために、LTE-TDDネットワークとWiMAXネットワークとを同期させるための方法、基地局、およびシステムを提供する。
【００１５】
本発明の実施形態で、LTE-TDDネットワークとWiMAXネットワークとを同期させるための方法は、LTE-TDDネットワークとWiMAXネットワークの両方をサポートするデュアルモード基地局上のネットワーク同期に適用可能であり、LTE-TDDネットワークをサポートする1つの基地局とWiMAXネットワークをサポートするもう1つの基地局との間のネットワーク同期にも適用可能であり、本発明の実施形態は、説明のため例として、デュアルモード基地局上のLTE-TDDネットワークとWiMAXネットワークとの間の同期を挙げることに留意されたい。
【００１６】
本発明の実施形態の技術的解決策をより良く理解するために、図1がWiMAXネットワークのフレームフォーマットの図であり、図2がLTE-TDDネットワークのフレームフォーマットの図である、図1および図2を参照されたい。図2は、説明のための例として5msの切替え期間を有するLTE-TDDネットワークのフレームフォーマットを挙げることに留意されたい。
【００１７】
ダウンリンク(DL、Downlink)サブフレームと、アップリンク(UL、Uplink)サブフレームとを含めて、WiMAXネットワークのフレーム長が5msであり、ダウンリンクサブフレームとアップリンクサブフレームとの間の保護ギャップが送信/受信遷移ギャップ(transition gap)(TRG)と呼ばれ、次のフレームのアップリンクサブフレームとダウンリンクサブフレームとの間の保護ギャップが受信/送信遷移ギャップ(RTG)と呼ばれ、TRG時間が105.7μsであり、RTG時間が60usである図1を参照されたい。5Mまたは10Mの帯域幅を有するWiMAXネットワークの場合、5msフレームを時間領域内で48個のシンボルに分割することが可能であり、この場合、TRGおよびRTGはシンボルを形成し、他の47個のシンボルは、データを送信するために使用されるアップリンクサブフレームおよびダウンリンクサブフレームとして構成可能であり、47個のシンボルの各々はおよそ102.9μsの長さを有する。
【００１８】
WiMAXネットワーク内の1個のフレームの47個のシンボルは、ダウンリンクサブフレームおよびアップリンクサブフレームとして構成され、ダウンリンクサブフレーム内およびアップリンクサブフレーム内のシンボル量の一般的な構成比率は35:12、32:15、および29:18であり、したがって、WiMAXネットワークのフレームフォーマットは、ダウンリンクサブフレーム内およびアップリンクサブフレーム内のシンボル量の構成比率が35:12、32:15、または29:18であるようなものである。
【００１９】
LTE-TDDネットワークのフレーム長が、5msの長さを有する2個のハーフフレームを含む10msであり、各ハーフフレームが、4つが通常のサブフレームであり、1つが特別サブフレームである、5個の1msサブフレームを含み、通常のサブフレームが2個の0.5タイムスロットを有し、特別サブフレームが3個の特別フィールド、すなわち、ダウンリンクパイロットタイムスロット(DwPTS)、保護ギャップ(GP)、およびアップリンクパイロットタイムスロット(UpPTS)を有し、DwPTSフィールドが、ダウンリンクデータを送信するために使用され、GPフィールドが、ダウンリンクからアップリンクへの遷移を実行するために使用され、UpTPSフィールドが、アップリンクランダムアクセスを実施するため、またはアップリンク測定機能を提供するサウンディング(sounding)信号を送信するために使用される図2を参照されたい。
【００２０】
LTE-TDDネットワークのフレームのサブフレームを構成することが可能であり、すなわち、アップリンクサブフレーム、ダウンリンクサブフレーム、および特別サブフレームの位置を構成することが可能であることに留意されたい。実現可能な構成解決策に関して、次のように、table 1(表1)を参照されたい。
【００２１】
【表１】
0005814477.tif 000002
【００２２】
table 1(表1)内で、Dはダウンリンクサブフレームを表し、Uはアップリンクサブフレームを表し、Sは特別サブフレームを表し、各サブフレームは1msの長さを有し、加えて、LTE-TDDネットワーク内のフレームのアップリンク-ダウンリンク遷移点切替え期間(transition point switching period)は5msまたは10msであってよく、切替え期間が5msであるとき、LTE-TDDネットワークを構成するフレームの2個のハーフフレームは全く同じに構成される。
【００２３】
LTE-TDDネットワーク内のフレームの特別サブフレームの場合、DwPTS、GP、およびUpPTSのタイムスロット長は、複数の実現可能な構成計画をやはり有する、以下のように、table 2(表2)を参照されたい。
【００２４】
【表２】
0005814477.tif 000003
【００２５】
table 2(表2)で、特別サブフレームは、2個のタイムスロットを含む1msの長さを有し、タイムスロットの各々は7個のシンボルを含み、1個のタイムスロット内の7個のシンボルは全く同じではない長さを有し、この場合、第1のシンボルは、71.88μsの長さを有し、残りの6個のシンボルの各々はおよそ71.35μsの長さを有し、本発明のこの実施形態では、特別サブフレームの14個のシンボルをDwPTSと、GPと、UpPTSとに割り振ることができる。
【００２６】
本発明のこの実施形態では、ハーフフレーム間で切り替えるための保護ギャップが存在することを確実にするために、GPの部分的長さをハーフフレームのアップリンクサブフレームが終了した後の位置に設定することが可能であり、部分的長さは20.31usであり、すなわち、ハーフフレーム内で、ダウンリンクサブフレームとアップリンクサブフレームとの間の特別サブフレームは979.69μsの長さを有することに留意されたい。
【００２７】
本発明の実施形態では、LTE-TDDネットワークのハーフフレームフォーマット、ならびに、LTE-TDDネットワークのハーフフレームフォーマットのフレームヘッダとWiMAXネットワークのフレームヘッダとの間の遅延時間は、WiMAXネットワークのフレームフォーマットに従って判定可能であり、それによって、WiMAXネットワークとLTE-TDDネットワークとの間の干渉を効果的に回避して、システム性能を改善し、LTE-TDDネットワークとWiMAXネットワークとの間の同期を達成する特定の方法に関しては、本発明のある実施形態による、LTE-TDDネットワークとWiMAXネットワークとを同期させるための、以下を含む方法のある実施形態である図3を参照されたい。
【００２８】
ステップ301:同じクロックソースを用いて、LTE-TDDネットワークとWiMAXネットワークとを同期させる。
【００２９】
本発明のこの実施形態では、基地局は、同じクロックソースを用いて、LTE-TDDネットワークとWiMAXネットワークとを同期させ、この場合、クロックソースは、全地球測位システム(GPS、Global Positioning System)クロックソース、または1588クロックソース、または遠隔全地球測位システム(RGPS、Remote Global Positioning System)クロックソースであってよい。
【００３０】
ステップ302:WiMAXネットワークのフレームフォーマットを判定する。
【００３１】
本発明のこの実施形態では、基地局はWiMAXネットワークのフレームフォーマットを判定し、この場合、WiMAXネットワークのフレームフォーマットは、ダウンリンクサブフレーム内およびアップリンクサブフレーム内のシンボル量の構成比率が35:12、32:15、または29:18であるようなものであり得る。
【００３２】
ステップ303:WiMAXネットワークのフレームフォーマットに従って、LTE-TDDネットワークのハーフフレームフォーマットを判定して、LTE-TDDネットワークとWiMAXネットワークとが同期するように、LTE-TDDネットワークのハーフフレームフォーマットのフレームヘッダとWiMAXネットワークのフレームフォーマットのフレームヘッダとの間の遅延時間を判定する。
【００３３】
本発明のこの実施形態では、基地局は、WiMAXネットワークのフレームフォーマットに従って、LTE-TDDネットワークのハーフフレームフォーマットを判定して、LTE-TDDネットワークとWiMAXネットワークとが同期して、それによって、2つのネットワーク間の干渉を効果的に回避して、システム性能を改善するように、LTE-TDDネットワークのハーフフレームフォーマットのフレームヘッダとWiMAXネットワークのフレームフォーマットのフレームヘッダとの間の遅延時間を判定する。
【００３４】
本発明のこの実施形態では、WiMAXネットワークのフレームフォーマットは、ダウンリンクサブフレーム内およびアップリンクサブフレーム内のシンボル量の構成比率が35:12、32:15、または29:18のいずれかであり得るようなものであり、以下は、WiMAXネットワークのフレームフォーマットに従って、LTE-TDDネットワークのハーフフレームフォーマットを判定するための方法を説明する。本発明のこの実施形態では、WiMAXネットワークのフレームフォーマットが、ダウンリンクサブフレーム内およびアップリンクサブフレーム内のシンボル量の構成比率が35:12であるようなものであるとき、WiMAXネットワークとLTE-TDDネットワークとを同期させるための、以下を含む方法のある実施形態を提供する図4を参照されたい。
【００３５】
ステップ401:同じクロックソースを用いて、LTE-TDDネットワークとWiMAXネットワークとを同期させる。
【００３６】
本発明のこの実施形態では、基地局は、同じクロックソースを用いて、LTE-TDDネットワークとWiMAXネットワークとを同期させ、この場合、クロックソースは、全地球測位システム(GPS、Global Positioning System)クロックソース、もしくは1588クロックソース、または遠隔全地球測位システム(RGPS、Remote Global Positioning System)クロックソースであってよい。
【００３７】
ステップ402:WiMAXネットワークのフレームフォーマットを判定する。
【００３８】
本発明のこの実施形態では、基地局は、WiMAXネットワークのフレームフォーマットを判定し、この場合、WiMAXネットワークのフレームフォーマットは、ダウンリンクサブフレーム内およびアップリンクサブフレーム内のシンボル量の構成比率が35:12、32:15、または29:18であるようなものであり得る。
【００３９】
ステップ403:WiMAXネットワークのフレームフォーマットのダウンリンクサブフレーム内およびアップリンクサブフレーム内のシンボル量の構成比率が35:12である場合、  LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定する。
【００４０】
本発明のこの実施形態では、WiMAXネットワークのフレームフォーマットのダウンリンクサブフレーム内およびアップリンクサブフレーム内のシンボル量の構成比率が35:12である場合、WiMAXネットワークがLTE-TDDネットワークと同期され得ることを確実にするために、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定することが可能である。
【００４１】
以下は具体的な解析である。
【００４２】
WiMAXネットワーク内のフレーム長は5msであり、切替え期間は5msである。WiMAXネットワークがLTE-TDDネットワークと同期され得ることを確実にするために、LTE-TDDネットワーク内のフレームの切替え期間は5msであるべきであり、加えて、WiMAXネットワークのフレームフォーマットのダウンリンクサブフレーム内およびアップリンクサブフレーム内のシンボル量の構成比率が35:12であるとき、ダウンリンクサブフレームは3600μsの長さを有し、アップリンクサブフレームは1234.3μsの長さを有し、TRG時間は105.7μsであり、RTG長は60μsであり、したがって、LTE-TDDネットワークのハーフフレームフォーマット内で、ダウンリンクサブフレームは3msよりも長い長さを有さなければならず、LTE-TDDネットワークのハーフフレームフォーマットのダウンリンクサブフレーム内およびアップリンクサブフレーム内のサブフレーム量の構成比率は3:1であると決定することが可能であり、すなわち、table 1(表1)の構成計画第2が選択される。構成計画第2が選択された後で、WiMAXネットワークとLTE-TDDネットワークとを完全に同期させることはできない。WiMAXネットワークのフレームフォーマットの図およびLTE-TDDネットワークのハーフフレームフォーマットの図である図5-aを参照されたい。WiMAXネットワークとLTE-TDDネットワークとは依然として干渉を有することを図5-aから理解することができる。したがって、WiMAXネットワークとLTE-TDDネットワークとの間の同期を達成することができるように、LTE-TDDネットワークのハーフフレームフォーマットの特別サブフレームの構成様式と、LTE-TDDネットワークのハーフフレームフォーマットのフレームヘッダとWiMAXネットワークのフレームフォーマットのフレームヘッダとの間の遅延時間とを判定することがやはり必要である。
【００４３】
図5-aに示された構造図を参照すると、WiMAXネットワークとLTE-TDDネットワークとが同期され得ることを確実にするために、LTE-TDDネットワークのハーフフレームフォーマットのフレームヘッダはWiMAXネットワークのフレームフォーマットのフレームヘッダと比較して2ms遅延されるべきであり、その一方で、WiMAXネットワーク内のダウンリンクサブフレームにTRG時間を加えたものは3705.7μsの長さを有するため、WiMAXネットワークと特別サブフレームのDwPTSおよびUpPTSとの間の干渉を回避するために、LTE-TDDネットワークのハーフフレームフォーマットの特別サブフレームを構成することがやはり必要である。すなわち、何の干渉も生じないことを確実にするために、2msの遅延の後、LTE-TDDネットワークのハーフフレームフォーマットのフレームヘッダを含む第1のサブフレーム、ならびに特別サブフレーム内のDwPTSは1705.7μsを超えるべきではなく、DwPTSは705.7μsを超えるべきではない。
【００４４】
本発明のこの実施形態では、特別サブフレームは、2個のタイムスロットを含む、1msの長さを有し、タイムスロットの各々は7個のシンボルを含み、1個のタイムスロット内の7個のシンボルは完全に同じではない長さを有し、この場合、第1のシンボルは71.88μsの長さを有し、残りの6個のシンボルの各々はおよそ71.35μsの長さを有するため、WiMAXネットワークとLTE-TDDネットワークとが同期することを確実にするために、DwPTSのシンボル量は9以下であるべきである。特別サブフレームの構成計画が0、1、5、および6と番号付けされた構成計画のうちのいずれか1つであり得る、table 2(表2)を参照されたい。詳細に関しては、本発明のこの実施形態では、ステップ403が実行された後、WiMAXネットワークとLTE-TDDネットワークとが同期するときのフレームフォーマットの図である図5-bを参照されたい。
【００４５】
本発明のこの実施形態では、WiMAXネットワークのフレームフォーマットのダウンリンクサブフレーム内およびアップリンクサブフレーム内のシンボル量の構成比率が35:12である場合、LTE-TDDネットワークのハーフフレームフォーマットのダウンリンクサブフレーム内およびアップリンクサブフレーム内のサブフレーム量の構成比率は3:1であり、LTE-TDDネットワークのハーフフレームフォーマットのフレームヘッダがWiMAXネットワークのフレームフォーマットのフレームヘッダと比較して2msの遅延を有し、LTE-TDDネットワークのハーフフレームフォーマット内の特別サブフレームのDWPTSが9個のシンボル以下の長さを有すると決定することが可能であり、それによって、WiMAXネットワークとLTE-TDDネットワークとが同期して、干渉を回避することを効果的に確実にする。
【００４６】
本発明のこの実施形態では、WiMAXネットワークのフレームフォーマットがダウンリンクサブフレーム内およびアップリンクサブフレーム内のシンボル量の比率が32:15であるようなものであるとき、WiMAXネットワークとLTE-TDDネットワークとを同期するための方法のある実施形態である図6を参照されたい。
【００４７】
ステップ601:同じクロックソースを用いて、LTE-TDDネットワークとWiMAXネットワークとを同期させる。
【００４８】
本発明のこの実施形態では、基地局は、同じクロックソースを用いて、LTE-TDDネットワークとWiMAXネットワークとを同期し、この場合、クロックソースは、全地球測位システム(GPS、Global Positioning System)クロックソース、もしくは1588クロックソース、または遠隔全地球測位システム(RGPS、Remote Global Positioning System)クロックソースであってよい。
【００４９】
ステップ602:WiMAXネットワークのフレームフォーマットを判定する。
【００５０】
本発明のこの実施形態では、基地局は、WiMAXネットワークのフレームフォーマットを判定し、この場合、WiMAXネットワークのフレームフォーマットは、ダウンリンクサブフレーム内およびアップリンクサブフレーム内のシンボル量の構成比率が35:12、32:15、または29:18であるようなものであり得る。
【００５１】
ステップ603:WiMAXネットワークのフレームフォーマットのダウンリンクサブフレーム内およびアップリンクサブフレーム内のシンボル量の構成比率が32:15である場合、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有し、LTE-TDDネットワークのハーフフレームフォーマット内の特別サブフレームのDWPTSが5個のシンボル以下の長さを有すると決定する。
【００５２】
本発明のこの実施形態では、WiMAXネットワークのフレームフォーマットのダウンリンクサブフレーム内およびアップリンクサブフレーム内のシンボル量の構成比率が32:15である場合、WiMAXネットワークがLTE-TDDネットワークと同期され得ることを確実にするために、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有し、LTE-TDDネットワークのハーフフレームフォーマット内の特別サブフレームのDwPTSの5個がシンボル以下の長さを有すると決定することが可能である。
【００５３】
以下は具体的な解析である。
【００５４】
本発明のこの実施形態では、WiMAXネットワークのフレームフォーマットのダウンリンクサブフレーム内およびアップリンクサブフレーム内のシンボル量の構成比率が32:15であるとき、ダウンリンクサブフレームの最後のシンボルは送信電力を有さず、この場合、送信電力を実際に有するダウンリンクサブフレームは3188.6μsの長さを有し、アップリンクサブフレームは1542.9μsの長さを有し、RTG時間は60μsであり、TRG時間は208.6である。TRG時間は、当初、105.7μsであるが、送信電力を有さないシンボルが1個存在するため、TRG時間は208.6μsであることに留意されたい。
【００５５】
LTE-TDDネットワークが、WiMAXネットワークが同期され得ることを確実にするために、LTE-TDDネットワークのハーフフレームフォーマットのダウンリンクサブフレーム内およびアップリンクサブフレーム内のサブフレーム量の構成比率は3:1であると決定することが可能である。WiMAXネットワークのフレームフォーマットの図およびLTE-TDDネットワークのハーフフレームフォーマットの図である図7-aを参照すると、WiMAXネットワークおよびLTE-TDDネットワークは依然として干渉を有することを図7-aから理解することができる。したがって、WiMAXネットワークとLTE-TDDネットワークとの間の同期を達成することできるように、LTE-TDDネットワークのハーフフレームフォーマットの特別サブフレームの構成様式と、LTE-TDDネットワークのハーフフレームフォーマットのフレームヘッダとWiMAXネットワークのフレームフォーマットのフレームヘッダとの間の遅延時間とを判定することがやはり必要である。
【００５６】
図7-aに示される構造図によれば、WiMAXネットワークとLTE-TDDネットワークとが同期され得ることを確実にするために、LTE-TDDネットワークのハーフフレームフォーマットのフレームヘッダはWiMAXネットワークのフレームフォーマットのフレームヘッダと比較して2msだけ遅延されるべきであり、その一方で、WiMAXネットワーク内のダウンリンクサブフレームにTRG時間を加えたものは3397.2μsの長さを有するため、WiMAXネットワークと特別サブフレームのDwPTSおよびUpPTSとの間の干渉を回避するために、LTE-TDDネットワークのハーフフレームフォーマットの特別サブフレームを構成することがやはり必要であり、すなわち、何の干渉も生じないことを確実にするために、2msの遅延の後、LTE-TDDネットワークのハーフフレームフォーマットのフレームヘッダ、ならびに、特別サブフレーム内のDwPTSを含む第1のサブフレームは、1397.2μsを超えるべきではなく、DwPTSは397.2μsを超えるべきではない。
【００５７】
本発明のこの実施形態では、特別サブフレームは、2個のタイムスロットを含む、1msの長さを有し、タイムスロットの各々は7個のシンボルを含み、1個のタイムスロット内の7個のシンボルは完全に同じではない長さを有し、この場合、第1のシンボルは71.88μsの長さを有し、残りの6個のシンボルの各々はおよそ71.35μsの長さを有するため、WiMAXネットワークとLTEネットワークとが同期することを確実にするために、DwPTSのシンボル量は5以下であるべきである。特別サブフレームの構成計画が0から5と番号付けされた構成計画であり得るtable 2(表2)を参照されたい。詳細には、本発明のこの実施形態では、ステップ603が実行された後で、WiMAXネットワークとLTE-TDDネットワークとが同期するときのフレームフォーマットの図である図7-bを参照されたい。
【００５８】
本発明のこの実施形態では、WiMAXネットワークのフレームフォーマットがダウンリンクサブフレーム内およびアップリンクサブフレーム内のシンボル量の構成比率が29:18であるようなものであるときの、WiMAXネットワークとLTE-TDDネットワークとを同期させるための、以下を含む方法のある実施形態である図8を参照されたい。
【００５９】
ステップ801:同じクロックソースを用いて、LTE-TDDネットワークとWiMAXネットワークとを同期させる。
【００６０】
本発明のこの実施形態では、基地局は、同じクロックソースを用いて、LTE-TDDネットワークとWiMAXネットワークとを同期させ、この場合、クロックソースは、全地球測位システム(GPS、Global Positioning System)クロックソース、もしくは1588クロックソース、または遠隔全地球測位システム(RGPS、Remote Global Positioning System)クロックソースであってよい。
【００６１】
ステップ802:WiMAXネットワークのフレームフォーマットを判定する。
【００６２】
本発明のこの実施形態では、基地局は、WiMAXネットワークのフレームフォーマットを判定し、この場合、WiMAXネットワークのフレームフォーマットは、ダウンリンクサブフレーム内およびアップリンクサブフレーム内のシンボル量の構成比率が35:12、32:15、または29:18であるようなものであり得る。
【００６３】
ステップ803:WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのフレームフォーマットのフレームヘッダがWiMAXネットワークのハーフフレームフォーマットのフレームヘッダと比較して1msの遅延を有すると決定して、WiMAXネットワーク内のダウンリンクサブフレームの無線周波数チャネル終端位置をダウンリンクサブフレームの第27番目のシンボルに設定する。
【００６４】
本発明のこの実施形態では、WiMAXネットワークのフレームフォーマットのダウンリンクサブフレーム内およびアップリンクサブフレーム内のシンボル量の構成比率が29:18である場合、WiMAXネットワークがLTE-TDDネットワークと同期することを確実にするために、LTE-TDDネットワークのハーフフレームフォーマットのダウンリンクサブフレーム内およびアップリンクサブフレーム内のサブフレーム量の構成比率が2:2であり、LTE-TDDネットワークのフレームフォーマットのフレームヘッダがWiMAXネットワークのハーフフレームフォーマットのフレームヘッダと比較して1msの遅延を有すると決定することが可能であり、WiMAXネットワーク内のダウンリンクサブフレームの無線周波数チャネル終端位置をダウンリンクサブフレームの第27番目のシンボルに設定することが可能である。
【００６５】
以下は具体的な解析である。
【００６６】
本発明のこの実施形態では、WiMAXネットワークのフレームフォーマットのダウンリンクサブフレームおよびアップリンクサブフレーム内のシンボル量の構成比率が18:29であるとき、ダウンリンクサブフレームは2982.6μsの長さを有し、アップリンクサブフレームは1851.44μsの長さを有し、TRG時間は105.7μsであり、RTG時間は60μsであり、WiMAXネットワークとLTE-TDDネットワークとが同期され得ることを確実にするために、LTE-TDDネットワークのハーフフレームフォーマットのダウンリンクサブフレーム内およびアップリンクサブフレーム内のサブフレーム量の構成比率は2:2であるべきであり、すなわち、table 1(表1)の構成計画第1を選択するべきである。しかし、構成計画第1が選択された後、WiMAXネットワークとLTE-TDDネットワークとを完全に同期することはできない。WiMAXネットワークのフレームフォーマットの図およびLTE-TDDネットワークのハーフフレームフォーマットの図である図9-aを参照されたい。WiMAXネットワークとLTE-TDDネットワークとは依然として干渉を有することを図9-aから理解することができる。したがって、さらなる調整および構成が必要とされる。
【００６７】
WiMAXネットワークとLTE-TDDネットワークとが同期することを確実にするために、LTE-TDDネットワークのハーフフレームフォーマットのフレームヘッダはWiMAXネットワークのフレームフォーマットのフレームヘッダと比較して1msの遅延を有するべきであることを図9-aから理解することができる。
【００６８】
本発明のこの実施形態では、WiMAXネットワークのフレームフォーマットのダウンリンクサブフレームは、29個のシンボルを含み、2982.86μsの長さを有し、2つおきのシンボルがタイムスロットを構成し、タイムスロットはリソース割振りにおける最小単位である。しかし、LTE-TDDネットワークのハーフフレームフォーマットが1ms遅れた後、特別サブフレームは、それがどのように構成されようと、WiMAXネットワークとの干渉を有することになるため、WiMAXネットワークとLTEネットワークとの間の同期を達成するためには、干渉を回避するために、WiMAXネットワーク内のダウンリンクサブフレームの無線周波数チャネル終端位置をダウンリンクサブフレームの第27番目のシンボルに設定することが可能である。
【００６９】
本発明のこの実施形態では、WiMAXネットワーク内のダウンリンクサブフレームの無線周波数チャネル終端位置はダウンリンクサブフレームの第27番目のシンボルに設定されるため、ダウンリンクサブフレームは実際には、27個のシンボルを含み、2777.14μsの長さを有し、LTEネットワークの最小UpPTSは2個のシンボルであり、LTE-TDDネットワークのハーフフレームフォーマットが1ms遅延する状況では、特別サブフレームは、それがどのように構成されようと、WiMAXネットワークとLTEネットワークとの間の同期をサポートすることが可能である。詳細には、本発明のこの実施形態では、ステップ803が実行された後、WiMAXネットワークとLTEネットワークとが同期するときの、フレームフォーマットの図である図9-bを参照されたい。
【００７０】
ステップ804:WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのハーフフレームフォーマットのフレームヘッダがWiMAXネットワークのハーフフレームフォーマットのフレームヘッダと比較して1003.16μsから1020.31μsの遅延を有すると決定して、LTE-TDDネットワークのハーフフレームフォーマット内の特別サブフレームのアップリンクパイロットタイムスロットのシンボル量を0に設定する。
【００７１】
本発明のこの実施形態では、WiMAXネットワークのフレームフォーマットのダウンリンクサブフレーム内およびアップリンクサブフレーム内のシンボル量の構成比率が29:18であるとき、LTEネットワークとWiMAXネットワークとの間の同期を達成するために、LTE-TDDネットワークのハーフフレームフォーマットのダウンリンクサブフレーム内およびアップリンクサブフレーム内のサブフレーム量の構成比率が2:2であり、LTE-TDDネットワークのハーフフレームフォーマットのフレームヘッダがWiMAXネットワークのハーフフレームフォーマットのフレームヘッダと比較して1003.16μsから1020.31μsの遅延を有すると決定することが可能であり、LTE-TDDネットワークのハーフフレームフォーマット内の特別サブフレームのアップリンクパイロットタイムスロットのシンボル量を0に設定することができる。
【００７２】
以下は具体的な解析である。
【００７３】
本発明のこの実施形態では、WiMAXネットワークのフレームフォーマットのダウンリンクサブフレーム内およびアップリンクサブフレーム内のシンボル量の構成比率が18:29であるとき、ダウンリンクサブフレームは2982.6μsの長さを有し、アップリンクサブフレームは1851.44μsの長さを有し、TRG時間は105.7μsであり、RTG時間は60μsであり、WiMAXネットワークとLTE-TDDネットワークとが同期され得ることを確実にするために、LTE-TDDネットワークのハーフフレームフォーマットのダウンリンクサブフレーム内およびアップリンクサブフレーム内のサブフレーム量の構成比率は2:2であるべきであり、すなわち、table 1(表1)内の構成計画第1を選択するべきである。しかし、構成計画第1が選択された後、WiMAXネットワークとLTE-TDDネットワークとを完全に同期することはできない。WiMAXネットワークのフレームフォーマットの図およびLTE-TDDネットワークのハーフフレームフォーマットの図である図9-aを参照されたい。WiMAXネットワークとLTE-TDDネットワークとは依然として干渉を有することを図9-aから理解することができる。したがって、LTE-TDDハーフフレームフォーマットのさらなる調整および構成が必要とされる。
【００７４】
本発明のこの実施形態では、LTE-TDDネットワークのハーフフレームフォーマットのフレームヘッダがWiMAXネットワークのフレームフォーマットのフレームヘッダと比較して1msの遅延を有する状況では、LTE-TDDアップリンクサブフレーム内の3.16μs間隔は依然としてWiMAXネットワークのダウンリンクサブフレームによる影響を受け、さらに、LTE-TDDネットワーク内のハーフフレームフォーマットのアップリンクサブフレームと次のハーフフレームフォーマットのダウンリンクサブフレームとの間に、LTE-TDDネットワーク内のアップリンクおよびダウンリンク受信/送信チャネルを切り替えるために使用される20.31μs時間が存在するため、LTE-TDDネットワーク内のハーフフレームフォーマットのフレームヘッダを、1msの遅延に基づいて、3.16μsから20.31μsさらに遅延させることが可能であり、すなわち、LTE-TDDネットワークのハーフフレームフォーマットのフレームヘッダは、WiMAXネットワークのフレームヘッダと比較して1003.16μsから1020.31μsの遅延を有する。その一方、LTE-TDDネットワークとWiMAXネットワークとの間で同期を達成するために、受信チャネルが開放されているとき、LTE-TDD無線周波数がWiMAXネットワークのダウンリンク信号によって干渉されるのを防ぐために、LTE-TDDネットワークのハーフフレームフォーマットの特別サブフレーム内のアップリンクパイロットタイムスロットのシンボル量を0に設定することができる。LTE-TDDネットワークのハーフフレームフォーマットの特別サブフレーム内のアップリンクパイロットタイムスロットのシンボル量が0に設定されている場合、LTE-TDDネットワーク内の無線周波数受信チャネルの開放時間をUpPTSの開始位置からアップリンクサブフレームの開始位置に変更する必要があることに留意されたい。
【００７５】
本発明のこの実施形態ではLTE-TDDネットワークのハーフフレームフォーマット内の特別サブフレームのUpPTSフィールドは2つの主な機能を有し、1つの機能は、セル半径が小さいとき、ランダムアクセスプロセスを仕上げるためのショートPreambleを送信するために主に使用されるフォーマット(format)4のプリアンブル(Preamble)を搬送するためであり、もう1つの機能は、アップリンク信号の測定、チャネル推定、およびフレーム同期タイミングなどの機能に関して使用されるsounding参照情報を搬送するためである。しかし、ショートPreambleは、セル半径が小さく、一部のアップリンクリソースを節約することができるときだけ使用されるが、通常のPreambleはより一般的なシナリオで使用され、通常のPreambleはショートPreambleの機能を実行することができるものの、UpPTSフィールド内で送信される必要がないため、UpPTSフィールドのこれら2つの機能はいずれも不要である。加えて、sounding参照信号は、UpPTSフィールド内で送信されるだけではなく、通常のアップリンクサブフレーム内の最後のシンボル内でも送信され、したがって、sounding参照信号を基地局の処理によって非UpPTSシンボル内に設定することが可能である。したがって、UpPTSフィールドは不要であり、除去されてよい。UpPTSフィールドを除去することは、LTE-TDDネットワーク内のランダムアクセスまたはアップリンクタスクの実行に影響を及ぼさず、すなわち、LTE-TDDネットワークのハーフフレームフォーマット内の特別サブフレームのアップリンクパイロットタイムスロットのシンボル量を0に設定することが可能である。詳細に関しては、本発明のこの実施形態では、ステップ804が実行された後、LTE-TDDネットワークとWiMAXネットワークとが同期するときのフレームフォーマットの図である図9-cを参照されたい。図9-cでは、LTE-TDDフレームのハーフフレームフォーマットのフレームヘッダがWiMAXネットワークのフレームヘッダと比較して1003.16μsの遅延を有することを例として挙げることに留意されたい。
【００７６】
本発明のこの実施形態では、基地局は、WiMAXネットワークのフレームフォーマットに従って、LTEネットワークのハーフフレームフォーマットと、LTE-TDDネットワークのハーフフレームフォーマットのフレームヘッダとWiMAXネットワークのフレームフォーマットのフレームヘッダとの間の遅延時間とを判定し、それによって、LTE-TDDネットワークとWiMAXネットワークとの間の同期を効果的に達成する。
【００７７】
同じクロックソースを用いて、LTE-TDDネットワークとWiMAXネットワークとを同期させるように構成された第1の同期ユニット1001と、
WiMAXネットワークのフレームフォーマットを判定するように構成された判定ユニット1002と、
WiMAXネットワークのフレームフォーマットに従って、LTE-TDDネットワークのハーフフレームフォーマットを判定して、LTE-TDDネットワークのハーフフレームとWiMAXネットワークのフレームとが同期するように、LTE-TDDネットワークのハーフフレームフォーマットのフレームヘッダとWiMAXネットワークのフレームフォーマットのフレームヘッダとの間の遅延時間を判定するように構成された第2の同期ユニット1003と
を含む、本発明のある実施形態による基地局のある実施形態である図10を参照されたい。
【００７８】
本発明のこの実施形態では、第1の同期ユニット1001は、同じクロックソースを用いて、LTE-TDDネットワークとWiMAXネットワークとを同期させ、次いで、判定ユニット1002は、WiMAXネットワークのフレームフォーマットを判定し、第2の同期ユニット1003は、WiMAXネットワークのフレームフォーマットに従って、LTE-TDDネットワークのハーフフレームフォーマットを判定して、LTE-TDDネットワークのハーフフレームとWiMAXネットワークのフレームとが同期するように、LTE-TDDネットワークのハーフフレームフォーマットのフレームヘッダとWiMAXネットワークのフレームフォーマットのフレームヘッダとの間の遅延時間を判定する。
【００７９】
本発明のある実施形態による装置をより良く理解するために、
図10に示された実施形態の記述と同じであるため、よりこれ以上の詳細がここで提供されない、図10に示された実施形態の第1の同期ユニット1001と、判定ユニット1002と、第2の同期ユニット1003と
を含む、本発明のある実施形態による基地局のある実施形態である図11を参照されたい。
【００８０】
第2の同期ユニット1003は、
WiMAXネットワークのフレームフォーマットのダウンリンクサブフレーム内およびアップリンクサブフレーム内のシンボル量の構成比率が35:12である場合、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定するように構成され、LTE-TDDネットワークのハーフフレームフォーマット内の特別サブフレームのダウンリンクパイロットタイムスロットDWPTSの長さを9個のシンボル以下に設定するようにさらに構成された第1の処理ユニット1101と、
WiMAXネットワークのフレームフォーマットのダウンリンクサブフレーム内およびアップリンクサブフレーム内のシンボル量の構成比率が32:15である場合、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定するように構成され、LTE-TDDネットワークのハーフフレームフォーマット内の特別サブフレームのDWPTSの長さが5個のシンボル以下になると決定するようにさらに構成された第2の処理ユニット1102と、
WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのフレームフォーマットのフレームヘッダがWiMAXネットワークのハーフフレームフォーマットのフレームヘッダと比較して1msの遅延を有すると決定して、WiMAXネットワーク内のダウンリンクサブフレームの無線周波数チャネル終端位置をダウンリンクサブフレームの第27番目のシンボルに設定するように構成された第3の処理ユニット1103と、
WiMAXネットワークのフレームフォーマットのダウンリンクサブフレーム内およびアップリンクサブフレーム内のシンボル量の構成比率が29:18である場合、LTE-TDDネットワークのハーフフレームフォーマットのダウンリンクサブフレーム内およびアップリンクサブフレーム内のサブフレーム量の構成比率が2:2であり、LTE-TDDネットワークのハーフフレームフォーマットのフレームヘッダがWiMAXネットワークのハーフフレームフォーマットのフレームヘッダと比較して1003.16μsから1020.31μsの遅延を有すると決定して、LTE-TDDネットワークのハーフフレームフォーマットの特別サブフレームのアップリンクパイロットタイムスロットのシンボル量を0に設定するように構成された第4の処理ユニット1104と
をさらに含む。
【００８１】
本発明のこの実施形態では、第1の同期ユニット1001は、同じクロックソースを用いて、LTE-TDDネットワークとWiMAXネットワークとを同期させ、次いで、判定ユニット1002は、WiMAXネットワークのフレームフォーマットを判定し、WiMAXネットワークのフレームフォーマットのダウンリンクサブフレーム内およびアップリンクサブフレーム内のシンボル量の構成比率が35:12である場合、第2の同期ユニット1003の第1の処理ユニット1101は、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定して、LTE-TDDネットワークのハーフフレームフォーマット内の特別サブフレームのダウンリンクパイロットタイムスロットDWPTSの長さを9個のシンボル以下にさらに設定し、WiMAXネットワークのフレームフォーマットのダウンリンクサブフレーム内およびアップリンクサブフレーム内のシンボル量の構成比率が32:15である場合、第2の同期ユニット1003の第2の処理ユニット1102は、LTE-TDDネットワークのハーフフレームフォーマットのダウンリンクサブフレーム内およびアップリンクサブフレーム内のサブフレーム量の構成比率が3:1であり、LTE-TDDネットワークのハーフフレームフォーマットのフレームヘッダがWiMAXネットワークのフレームフォーマットのフレームヘッダと比較して2msの遅延を有すると決定して、LTE-TDDネットワークのハーフフレームフォーマット内の特別サブフレームのDWPTSの長さが5個のシンボル以下になるとさらに決定し、WiMAXネットワークのフレームフォーマットのダウンリンクサブフレーム内およびアップリンクサブフレーム内のシンボル量の構成比率が29:18である場合、第2の同期ユニット1003の第3の処理ユニット1103は、LTE-TDDネットワークのハーフフレームフォーマットのダウンリンクサブフレーム内およびアップリンクサブフレーム内のサブフレーム量の構成比率が2:2であり、LTE-TDDネットワークのフレームフォーマットのフレームヘッダがWiMAXネットワークのハーフフレームフォーマットのフレームヘッダと比較して1msの遅延を有すると決定して、WiMAXネットワーク内のダウンリンクサブフレームの無線周波数チャネル終端位置をダウンリンクサブフレームの第27番目のシンボルに設定し、WiMAXネットワークのフレームフォーマットのダウンリンクサブフレーム内およびアップリンクサブフレーム内のシンボル量の構成比率が29:18である場合、第2の同期ユニット1003の第4の処理ユニット1104は、LTE-TDDネットワークのハーフフレームフォーマットのダウンリンクサブフレーム内およびアップリンクサブフレーム内のサブフレーム量の構成比率が2:2であり、LTE-TDDネットワークのハーフフレームフォーマットのフレームヘッダがWiMAXネットワークのハーフフレームフォーマットのフレームヘッダと比較して1003.16μsから1020.31μsの遅延を有すると決定して、LTE-TDDネットワークのハーフフレームフォーマット内の特別サブフレームのアップリンクパイロットタイムスロットのシンボル量を0に設定する。第2の同期ユニット1003の同期処理の後、LTE-TDDネットワークとWiMAXネットワークとの間の���期を効果的に達成することができる。
【００８２】
本発明のある実施形態は、やはり、図10または図11に示された基地局を含む通信システムに関することに留意されたい。
【００８３】
これらの実施形態の方法のステップのすべてまたは一部は、関連するハードウェアに命令するプログラムによって実施可能であることを当業者は理解されよう。このプログラムは、コンピュータ可読媒体内に記憶可能である。記憶媒体は、読出し専用メモリ、磁気ディスク、または光ディスクなどであってよい。
【００８４】
本発明によって提供される、LTE-TDDネットワークとWiMAXネットワークとを同期するための方法、基地局、およびシステムが上で詳細に説明された。当業者は、本発明の着想に従って、特定の実装様式および応用範囲を修正することができる。結論として、本明細書の内容は、本発明に対する限定と解釈されるべきではない。
【符号の説明】
【００８５】
1001  第1の同期ユニット
1002  判定ユニット
1003  第2の同期ユニット
1101  第1の処理ユニット
1102  第2の処理ユニット
1103  第3の処理ユニット
1104  第4の処理ユニット
【図２】
0005814477.tif 000004
【図３】
0005814477.tif 000005
【図４】
0005814477.tif 000006
【図５−ａ】
0005814477.tif 000007
【図５−ｂ】
0005814477.tif 000008
【図６】
0005814477.tif 000009
【図７−ａ】
0005814477.tif 000010
【図７−ｂ】
0005814477.tif 000011
【図８】
0005814477.tif 000012
【図９−ａ】
0005814477.tif 000013
【図９−ｂ】
0005814477.tif 000014
【図９−ｃ】
0005814477.tif 000015
【図１０】
0005814477.tif 000016
【図１１】
0005814477.tif 000017
【図１】
0005814477.tif 000018